(57)【要約】【課題】実写上、問題ない配光性で撮影範囲に向けてストロボ光を照射することができる減光板を提供する。【解決手段】ストロボ発光部１０の前面でストロボ発光部１０の一部を覆う遮光位置と、ストロボ発光部１０の前面から退避した退避位置との間で移動自在な減光板１６が設けられている。ストロボ発光部１０の上下端部と減光板１６上の開口とから撮影範囲に向けてストロボ光が照射されるように、減光板１６は、ストロボ発光部１０の中央部をその長手方向に帯状に覆う。この減光板１６の長手方向両端の幅は、中央部の幅よりも細くなっている。更に、この減光板１６の中央部には２つの開口が設けられている。【選択図】        図２
2004151571.tif 000002
【特許請求の範囲】
【請求項１】
ストロボ放電管の長手方向に長いストロボ発光部から被写体に向けてストロボ光を照射するストロボ装置を備えたレンズ付きフイルムユニットにおいて、
前記ストロボ発光部の中央部をその長手方向に帯状に覆って遮光する減光板を設け、この減光板の長手方向両端の幅を中央部の幅よりも細くしたことを特徴とするレンズ付きフイルムユニット。
【請求項２】
前記減光板は、少なくとも１つの開口が設けられていることを特徴とする請求項１記載のレンズ付きフイルムユニット。
【請求項３】
前記減光板は、前記ストロボ発光部の中央部を覆う遮光位置と、ストロボ発光部の前面から退避する退避位置との間で移動自在であることを特徴とする請求項１又は２記載のレンズ付きフイルムユニット。
【請求項４】
前記減光板の退避位置は、レンズ付きフイルムユニット内部であることを特徴とする請求項３記載のレンズ付きフイルムユニット。
【発明の詳細な説明】
【０００１】
【発明の属する技術分野】
本発明は、レンズ付きフイルムユニットに関するものであり、更に詳しくは、ストロボ発光部の一部を覆って、被写体に向けて照射されるストロボ光を減光する減光板を備えたレンズ付きフイルムユニットに関するものである。
【０００２】
【従来の技術】
現在、写真撮影用のカメラとしては用途や機能に応じて非常に多くの種類のものが販売されている。カメラの多くには、自動焦点調節機構や自動露出制御機構が内蔵されており、ピント調節（焦点位置への調節）や露出調節（絞り及びシャッタスピードの調節）が自動的に行われるようになっている。また、ストロボ装置を内蔵するカメラの中には、被写体距離や被写体輝度に応じて自動的にストロボ光の発光量を調整する自動調光機構を有するものもある。このようなカメラを用いて夜景撮影を行う場合には、シャッタボタンの押圧操作とともに自動露出制御機構が作動して、絞りを開くとともに、シャッタスピードを遅くするように制御する。同時に、自動調光機構では照射されるストロボ光の光量を抑えるように制御する。これにより、適正露光に調整された状態での夜景撮影が可能となる。
【０００３】
一方、一般に広く普及している安価なレンズ付きフイルムユニットにおいては、明るい屋外での撮影、やや明るい屋内でのストロボ発光による撮影の他に、屋外で人物等の主要被写体が白ボケすることなく、背後の夜景撮影が可能となるような自動露出制御機構、及び自動調光機構を付加することはコスト的に難しい。
【０００４】
また、レンズ付きフイルムユニットに、絞りを大きくし、更にシャッタースピードを遅くした夜景撮影モードを選択できる機能を付加することが考えられるが、このようなレンズ付きフイルムユニットでストロボ撮影をした場合、主要被写体が極端に白くなる、いわゆる白ボケが発生する。そのため、夜景撮影モード時にはストロボ光量を通常発光量から適正光量に減少させる必要がある。
【０００５】
ところで、ストロボ光量を簡易に減少させる手段として、従来よりストロボ発光部の前面に遮光性を有する減光板を設置する方法が知られている。図９に示すように、ストロボ発光部５０の中央部を上下に減光板５１で帯状に覆う方法が知られている。この場合は、撮影範囲の中央部へ向けて照射される光量を重点的に低くすることを目的としており、図１０（ａ）のように、湾曲リフレクタ５２ａで反射されて撮影範囲の中央部に向かうストロボ光、及びストロボ放電管５３から撮影範囲の中央部に向かう直接光の一部がカットされて、撮影範囲の中央部には図１０（ｂ）のように、側面リフレクタ５２ｂで反射したストロボ光が照射される。このように、撮影範囲の中央部の減光量を大きくすると、撮影範囲の周縁部へ向かうストロボ光が減光板５１により大幅にカットされてしまうため、減光板無しのストロボ発光に比べ配光が悪くなってしまう。（特許文献１参照）
【０００６】
また、その他の従来技術としては、図１１に示すように、ストロボ発光部６０の中央部を減光板６１で左右に帯状に覆う方法が本出願人により提案されている。この場合は、図１２（ｂ）のように、側面リフレクタ６２ｂで反射されて撮影範囲の中央部に向かうストロボ光、及びストロボ放電管６３から撮影範囲の中央部に向かう直接光がカットされて、撮影範囲の中央部に向かうストロボ光が効果的にカットされる。このように、ストロボ発光部６０の上下が露呈されることでカット量が小さくなり、前記減光板５１を取り付けたストロボ発光に比べて周縁部への配光が良化される。（特許文献２参照）
【０００７】
【特許文献１】特開２０００−１２２１２６号公報
【特許文献２】特願２００２−２１５５８５号明細書
【０００８】
【発明が解決しようとする課題】
しかしながら、前記減光板６１を用いて、夜景撮影された写真画像には、図１３に示すように、撮影範囲７０の中央部をこの撮影範囲７０の長手方向に沿って棒状の暗線７１が表れるとともに、撮影範囲７０の両端では、この両端の上下部に比べて中央部が暗くなるという問題があった。これは、横長なストロボ発光部の中央部を左右に帯状に覆ったことにより、減光板６１の遮断範囲に応じた撮影範囲７０に照射されるストロボ光の光量が低下してしまったためである。更に、ストロボ放電管とリフレクタ形状に起因して潜在的に発生する暗線を、通常撮影時にはプロテクタのレンズ系により拡散させて抑えているが、減光板をストロボ発光部の前面に設置することで暗線拡散能力を抑えてしまっているためでもある。
【０００９】
そこで、本発明では、実写上、通常発光同等、または同等以上の配光性を確保した減光板を備えたレンズ付きフイルムユニットを提供する。
【００１０】
【課題を解決するための手段】
上記目的を達成するために、請求項１記載のレンズ付きフイルムユニットは、ストロボ放電管の長手方向に長いストロボ発光部から被写体に向けてストロボ光を照射するストロボ装置を備え、前記ストロボ発光部の中央部をその長手方向に帯状に覆って遮光する減光板を設け、この減光板の長手方向両端の幅を中央部の幅よりも細くしたことを特徴とするものである。
【００１１】
請求項２記載のレンズ付きフイルムユニットは、前記減光板に、少なくとも１つの開口を設けたものである。
【００１２】
請求項３記載のレンズ付きフイルムユニットは、前記減光板を、ストロボ発光部の中央部を覆う遮光位置と、ストロボ発光部の前面から退避する退避位置との間で移動自在にしたものである。
【００１３】
請求項４記載のレンズ付きフイルムユニットは、前記減光板の退避位置は、レンズ付きフイルムユニット内部であることを特徴とする請求項３記載のものである。
【００１４】
【発明の実施の形態】
図１に本発明を実施したレンズ付きフイルムユニットの外観を示す。レンズ付きフイルムユニットは、ユニット本体２と、このユニット本体２を部分的に覆う外装体３とから構成されており、ユニット本体２にはシャッタ機構，絞り切替え機構，シャッタ速度切替え機構，フイルム給送機構，ストロボ装置４（図５参照）等の各種撮影機構が内蔵されている。また、ユニット本体２には、未露光の写真フイルムと撮影済の写真フイルムを収納するカートリッジとが製造時に装填されている。
【００１５】
ユニット本体２の前面には、撮影レンズ５，ファインダ６の対物側窓６ａ，モード選択部材８，ストロボ操作部材９，ストロボ装置４のストロボ発光部１０が設けられている。また、ユニット本体２の上面には、レリーズボタン１１，残り撮影可能コマ数を表示するカウンタ窓１２，ストロボ発光の準備が完了したことを表示するライトガイド１３が突出する充電完了表示窓１３ａが設けられている。さらに、背面には、１コマの撮影ごとに回転操作される巻上げノブ１４が露呈され、対物側窓６ａに対面する位置にファインダ６の接眼側窓（図示省略）が設けられている。外装体３は、ユニット本体２の中央部分に貼付されており、各部に設けた開口から撮影レンズ５，ファインダ６，カウンタ窓１２等を外部に露呈させている。
【００１６】
モード選択部材８は、撮影モードとして通常モードと夜景モードとのいずれかを選択するためのものであり、図１に示される夜景モード位置と、この夜景モード位置から下方にスライド移動した通常モード位置との間でスライド自在にされている。また、ストロボ操作部材９は、撮影時のストロボ発光のオン・オフを選択するためのものであり、図１に示されるオン位置と、このオン位置から下方にスライド移動されたオフ位置との間でスライド自在にされている。ライトガイド１３は、ストロボ操作部材９がオン位置にスライドされることによって、図示されるようにユニット本体２の上面に突出される。
【００１７】
ストロボ操作部材９は、モード選択部材８が夜景モード位置にスライド移動されることに連動してオン位置にスライド移動され、モード選択部材８は、ストロボ操作部材９がオフ位置にスライド移動されることに連動して通常モード位置にスライド移動される。なお、通常モード選択時では、ストロボ操作部材９をオン位置，オフ位置のいずれにもセットが可能である。
【００１８】
通常モードは、日中屋外等の明るい場所での撮影に対応するモードである。また、通常モードは、ストロボ操作部材９をオン位置とすることでストロボ発光させることもでき、比較的に明るい室内での撮影にも利用できる。この通常モードでは、ストロボ発光の有無にかかわらず、比較的に高速な第１シャッタ速度と絞り開口径が小さい小絞りで撮影が行われる。
【００１９】
夜景モードは、暗い室内や夜間屋外等の暗い背景を適度な明るさで撮影することができるモードである。この夜景モードでは、上記の第１シャッタ速度よりも低速な第２シャッタ速度と、前記小絞りよりも絞り開口径が大きい大絞りが撮影に用いられる。また、ほぼ適正な光量に減光されたストロボ発光を行う。前述のようにモード選択部材８に連動してストロボ操作部材９がオン位置にセットされることによって、ストロボ発光が必ず行われるようになる。
【００２０】
ストロボ発光部１０は、ユニット本体２の前面に横長の長方形に露呈されている。このストロボ発光部１０からは、ストロボ操作部材９がオン位置にセットされているときに、シャッタ羽根の開閉に同期して一定光量のストロボ光が照射される。
【００２１】
このレンズ付きフイルムユニットには、被写体に照射されるストロボ光量を低くするための遮光性を有した減光板１６が設けられている。減光板１６は、図示されるようにストロボ発光部１０の前面に配されてその一部を覆う遮光位置と、図に二点鎖線で示すようにストロボ発光部１０の前面から退避してユニット本体２内に収納された退避位置との間で移動自在とされている。この減光板１６は、モード選択部材８に連動しており、モード選択部材８が通常モード位置のときに退避位置とされ、夜景モード位置のときに遮光位置となる。
【００２２】
図２に示すように、ストロボ発光部１０は、ストロボ光を放出するストロボ放電管１７と、ストロボ放電管１７からのストロボ光を前方に反射するリフレクタ１８と、ストロボ放電管１７及びリフレクタ１８を保護する透明なプロテクタ１９とからなる。ストロボ放電管１７は、細長い円柱形状をしており、その長手方向（軸心に沿った方向）が写真フイルム上の撮影画面の長手方向と一致するようにリフレクタ１８に取り付けられている。
【００２３】
リフレクタ１８は、Ｕ字状に湾曲されてストロボ放電管１７の周面と平行になるように配された湾曲反射部１８ａと、湾曲反射面１８ａの両端を塞ぐようにストロボ放電管１７の両端部近くに設けられた平板状の側面反射部１８ｂとからなり、前方が横長の長方形に開口している。このリフレクタ１８の開口部分を塞ぐようにプロテクタ１９が取り付けられ、このプロテクタ１９がユニット本体２の前面に露呈されている。したがって、ストロボ発光部１０は、ストロボ放電管１７の長手方向に長くなっている。
【００２４】
減光板１６は、遮光位置にセットされたときには、ストロボ発光部１０の前面でその中央部をストロボ発光部１０の長手方向、すなわちストロボ放電管１７の長手方向に沿った方向に覆う。より詳しくは、図３に示すように、減光板１６は、その中央部の上下方向の長さｈ１がストロボ発光部１０の上下方向の長さＨよりも短くされており、その中央部に連なる両端部の上下方向の長さｈ２が中央部の長さｈ１よりも短くなるように斜めにカットされた形状からなる。また、減光板１６には、ストロボ発光部１０から照射される光を撮影範囲に向けて均等に照射させるために開口１６ａ及び開口１６ｂが形成されている。なお、この減光板１６の厚みは、例えば１ｍｍである。減光板１６を遮光位置にセットすると、減光板１６は、上下左右対称にストロボ発光部１０の中央部を左右方向（長手方向）に覆い、ストロボ放電管１７を挟むストロボ発光部１０の上端部１０ａと下端部１０ｂを露呈した状態とする。
【００２５】
図４（ａ）及び図４（ｂ）は、上記のように減光板１６を配置した夜景モード下で撮影を行う際に、ストロボ放電管１７が放出するストロボ光の照射状態を示す説明図である。ストロボ放電管１７は、直接被写体に向けて照射される直接光と、リフレクタ１８（湾曲反射部１８ａ及び側面反射部１８ｂ）にて反射された後に被写体に向けて照射される反射光とを撮影範囲に向けて放出する。この際、撮影範囲の上下部には、ストロボ発光部１７の上端部１０ａ及び下端部１０ｂからの直接光及び反射光が照射される。ここで、減光板１６の両端部の上下方向の長さをこの中央部より短くして減光面積を減少させることにより、撮影範囲の両端の中央部にもストロボ光が照射される。更に、撮影範囲の中央部よりも撮影範囲の側部への照射光量が大きく、且つ撮影範囲の中央部への照射光量が比較的少ない減光板１６上の部位に、プロテクタレンズのストロボ光拡散能力を十分確保できるような形状で穴を設けて、ストロボ光を照射する。
【００２６】
図５に示すように、撮影レンズ５と写真フイルムとの間を遮光する暗箱（図示省略）の前面には、シャッタ開口２１が形成されている。このシャッタ開口２１の前方にシャッタ羽根２２が配されている。シャッタ羽根２２は、その羽根部２２ａでシャッタ開口２１を覆った閉じ位置と、シャッタ開口２１の前面から退避した全開位置を経てさらに回動した終端位置との間で回動自在に組み付けられている。このシャッタ羽根２２は、復帰バネ２３によって閉じ位置に向けて付勢されており、通常は閉じ位置にありシャッタ開口２１を塞いでいる。
【００２７】
シャッタ速度切替え機構としての回転規制レバー２５は、その一端に規制片２５ａが形成されており、規制片２５ａがシャッタ羽根２２の回転軌跡上から退避した退避位置と、全開位置と終端位置との間で回転軌跡上に入り込んだ規制位置との間で回動自在に組み付けられている。
【００２８】
レリーズボタン１１を押圧操作すると、シャッタ駆動レバー（図示せず）がチャージ位置からリリース位置に向けて高速に移動する。この移動の間にシャッタ羽根２２の当接部２２ｂがシャッタ駆動レバーによって蹴飛ばされ、シャッタ羽根２２が復帰バネ２３の付勢力に抗して終端位置に向けて回動する。なお、シャッタ駆動レバーは、写真フイルムの１コマ分の給送に連動してチャージ位置にセットされる。
【００２９】
回転規制レバー２５が退避位置のときには、シャッタ羽根２２は、終端位置にまで回動した後に復帰バネ２３の付勢力によって閉じ位置に戻る。また、回転規制レバー２５が規制位置のときには、シャッタ羽根２２は、終端位置に達する前に規制片２５ａに当接し復帰バネ２３の付勢力によって閉じ位置に戻る。このようにすることで、シャッタ羽根２２は、回転規制レバー２５が退避位置のときに作動角（回転角）が相対的に大きくされて低速な第２シャッタ速度で駆動され、規制位置のときには作動角が相対的に小さくされて高速な第１シャッタ速度で駆動される。
【００３０】
撮影レンズ５とシャッタ羽根２２との間で、撮影レンズ５の光軸上には、固定絞り板２６が配されている。この固定絞り板２６には、大絞りとしての大絞り開口２６ａが形成されている。絞り切替え機構としての可動絞り板２７は、その先端部に大絞り開口２６ａよりも小さい開口径の小絞り開口２７ａが小絞りとして形成されている。この可動絞り板２７は、撮影レンズ５の光軸上に小絞り開口２７ａを配した挿入位置と、撮影レンズ５の光軸から退避した退避位置との間で回動自在とされている。
【００３１】
可動絞り板２７が退避位置のときには、撮影レンズ５からの光は大絞り開口２６ａによって、その光量が制限されるから大絞りでの撮影となる。一方、可動絞り板２７が挿入位置のときには、撮影レンズ５の光軸上に大絞り開口２６ａと小絞り開口２７ａが配されるので、結果として小絞り開口２７ａを用いた小絞りによる撮影となる。
【００３２】
モード選択部材８が一体に形成されたスライド板３１は、通常モード位置と夜景モード位置に対応して上下方向にスライド自在とされている。このスライド板３１は、連動機構３２を介して回転規制レバー２５と可動絞り板２７に連結されている。この連動機構３２により、モード選択部材８を通常モード位置から夜景モード位置にスライドさせると、回転規制レバー２５が規制位置から退避位置に、可動絞り板２７が挿入位置から退避位置に回動する。逆に、モード選択部材８を夜景モード位置から通常モード位置にスライドさせると、回転規制レバー２５が退避位置から規制位置に、可動絞り板２７が退避位置から挿入位置に回動する。これにより、通常モードでは、高速な第１シャッタ速度と小絞りによる撮影が行われ、夜景モードでは低速な第２シャッタ速度と大絞りによる撮影が行われる。
【００３３】
また、スライド板３１には前述の減光板１６が一体に形成されており、スライド板３１とともに減光板１６がスライド移動する。これにより、減光板１６は、通常モード時では退避位置に、夜景モード時には遮光位置にセットされる。減光板１６は、ストロボ発光部１０の長手方向に沿って細長い板状であり、その短辺に沿った方向に、ストロボ発光部１０の短辺のほぼ半分の移動量だけ移動させるだけでよいから、退避位置と挿入位置との間の移動量が小さくでき、また減光板１６の収納スペースも小さくすることがきる。
【００３４】
ストロボ用スライド板３３には、ストロボ操作部材９が一体に形成されている。このストロボ用スライド板３３は、ストロボ操作部材９のスライド操作によって上下方向にスライド移動する。ストロボ操作部材９は、ストロボ用スライド板３３の前面に突出しており、スライド板３１の側方に配置されている。スライド板３１のモード選択部材８を夜景モード位置にスライドすると、図示しない連動部によってストロボ操作部材９がオン位置に押し上げられる。また、ストロボ操作部材９をオン位置からオフ位置にスライド移動すると、モード選択部材８が通常モード位置に押し下げられる。
【００３５】
ストロボ装置４は、上記のストロボ発光部１０の他に、ストロボ発光に先立って充電されるメインコンデンサ、このメインコンデンサを充電する充電回路、電源の電池、ストロボスイッチ３７、シンクロスイッチ３８、発光回路などを備えている。
【００３６】
ストロボスイッチ３７は、充電スイッチとストロボ発光の有無を選択する発光選択スイッチを兼ねており、ストロボ用スライド板３３のスライドに連動してオン・オフされ、ストロボ操作部材９がオン位置にセットされることによってオンとなり、ストロボ操作部材９がオフ位置にセットされることによってオフとなる。ストロボスイッチ３７がオンとなると充電回路によってメインコンデンサが充電されるとともに、ストロボ発光が許容される。また、ストロボスイッチ３７がオフとなると、充電回路の充電動作が停止されるとともに、メインコンデンサの充電の有無にかかわらずストロボ発光が禁止される。
【００３７】
シンクロスイッチ３８は、シャッタ羽根２２が全開位置に達したときにオンとなる。ストロボスイッチ３７がオンのときにシンクロスイッチ３８がオンとなると、ストロボ放電管１７にトリガ電圧が印加されることにより、メインコンデンサに蓄えられた電荷がストロボ放電管１７で放電されてストロボ光が放出される。
【００３８】
次に上記構成の作用について説明する。撮影を行う場合には、撮影者は、巻上げノブ１４を回転操作して、写真フイルムを１コマ分巻き上げる。このフイルム巻上げに連動してシャッタチャージが行われる。また、撮影シーンに応じてモード操作部材８を操作し、通常モードまたは夜景モードを選択する。表１に、通常モード及び夜景モードにおける、絞り値，  シャッタ速度，  ガイドナンバーを示す。
【００３９】
【表１】
2004151571.tif 000003
【００４０】
例えば、通常モードを選択する場合には、モード操作部材８を下方にスライド操作して通常モード位置にセットし、この後にストロボ操作部材９を操作してストロボ発光のオン・オフを選択する。なお、モード操作部材８が夜景モード位置にセットされている場合で、撮影時にストロボ発光を行わない場合には、オン位置にセットされているストロボ操作部材９をオフ位置にスライド移動することにより、モード操作部材８を通常モード位置にセットしてもよい。
【００４１】
上記のようにモード操作部材８が通常モード位置にセットされると、スライド板３１のスライド移動に連動し、回転規制レバー２５が規制位置に回動して保持され、規制片２５ａがシャッタ羽根２２の回転軌跡上に入り込んだ状態となる。また、可動絞り板２７が挿入位置に回動し保持される。さらにこのモード操作部材８の通常モード位置への移動により、減光板１６が退避位置にセットされる。
【００４２】
通常モード下でストロボ撮影を行う場合には、ストロボ操作部材９を操作してオン位置にセットする。ストロボ操作部材９をオン位置とすることにより、ストロボスイッチ３７がオンとなり、メインコンデンサが充電される。メインコンデンサが規定の充電電圧に達してストロボ発光の準備が完了した状態となると、図示しない発光ダイオードの点灯をライトガイド１３を通して確認できる。
【００４３】
ファインダ６を覗いてフレーミングを決定し、レリーズボタン１１を押圧操作して撮影を行う。レリーズボタン１１が押圧されると、シャッタ羽根２２は、シャッタ駆動レバーにより蹴飛ばされて閉じ位置から終端位置に向けて回動を開始する。回転規制レバー２５の規制片２５ａがシャッタ羽根２２の回転軌跡上に入り込んでいるから、終端位置に向けて回動を開始したシャッタ羽根２２は、シャッタ開口２１を全開した後に、終端位置に達する前に規制片２５ａと当接して、復帰バネ２３の付勢力で閉じ位置に向けて回動を開始する。これにより、第１シャッタ速度でシャッタ羽根２２の開閉動作が行われる。
【００４４】
また、シャッタ羽根２２がシャッタ開口２１を全開した全開位置に達した瞬間に、シンクロスイッチ３８がオンとなる。このため、ストロボ操作部材９をオン位置としている場合には、シンクロスイッチ３８のオンにより、ストロボ放電管１７にトリガ電圧が与えられてストロボ発光が行われる。そして、ストロボ放電管１７より放出されたストロボ光がストロボ発光部１０より被写体に向けて照射される。このときに、減光板１６が退避位置となっているから、ストロボ発光部１０の全面から被写体に向けてストロボ光が照射される。したがって、この場合にはストロボ光は減光されることなく被写体に向けて照射される。なお、ストロボ操作部材９をオフ位置としている場合には、ストロボ発光は行われない。
【００４５】
ストロボ発光の有無に関わらず、上記のように第１シャッタ速度でシャッタ羽根２２の開閉動作が行われている間に、撮影レンズ５に入射した被写体からの光は、小絞り開口２７ａ，大絞り開口２６ａを通して写真フイルムに露光を与えるが、この場合には小絞り開口２７ａで光量が制限されることになる。したがって、小絞りと比較的に高速なシャッタ速度とを用いた撮影が行われる。
【００４６】
一方、夜景等のように暗い被写体を撮影するような場合、あるいは夜景を背景にして人物等の主要被写体を撮影する場合、及び暗い室内で背景を適当な濃度で再現しながら人物等の主要被写体を撮影する場合には、モード選択部材８を夜景モード位置にセットして夜景モードを選択する。
【００４７】
モード選択部材８を夜景モード位置にセットすると、連動部（図示せず）がストロボ操作部材９をオン位置に押し上げる。このため夜景モードを選択すれば、ストロボ発光させる状態に自動的になる。
【００４８】
モード選択部材８が夜景モード位置にセットされることにより、回転規制レバー２５が退避位置に回動して保持され、可動絞り板２７が退避位置に回動し保持される。また、ストロボ操作部材９がオン位置となることに連動して、ストロボスイッチ３７がオンとなる。このストロボスイッチ３７のオンにより、通常モードと同様にメインコンデンサの充電が行われる。さらに、モード選択部材８が夜景モード位置にセットされることにより、減光板１６が遮光位置とされる。
【００４９】
ストロボ発光の準備の完了を確認した後に、レリーズボタン１１を押圧する。このレリーズボタン１１の押圧に応答してシャッタ羽根２２の開閉動作が行われるが、この夜景モードでは回転規制レバー２５が退避位置に回動されているから、シャッタ羽根２２は閉じ位置から終端位置にまで回動した後に、復帰バネ２３の付勢力で閉じ位置に戻る。また、シャッタ羽根２２が全開位置に達した瞬間には、シンクロスイッチ３８がオンとなりストロボ発光が行われる。このようにして大絞りと、通常モード時よりも遅い第２シャッタ速度の下でストロボ撮影が行われる。
【００５０】
図６は、上記の夜景モード下において、ストロボ放電管１７が撮影範囲３９に向けてストロボ光を照射した場合の配光を示している。ストロボ発光部１０の前面に設置された減光板１６により、直接被写体に向けて照射されるストロボ光量が小さくなる。一方、減光板１６の中央部に対して減光板１６の左右端部付近の幅を細くすることで左右端部付近の遮光面積が小さくなり、撮影範囲３９の左右端部付近へのストロボ光の遮光量が減少する。これにより、撮影範囲３９の上下端部及び左右端部への光量が確保される。
【００５１】
また、減光板１６をストロボ発光部１０の前面に設置することでプロテクタレンズ系の暗線拡散能力が抑制されている。そこで、減光と、暗線発生の抑制とを両立させるべく、撮影範囲の中央部よりも左右端部への光量が大きく、且つ撮影範囲の中央部への光量が比較的少ない減光板１６上の部位に、プロテクタレンズのストロボ光拡散能力を十分確保するような形状で穴を設ける。これにより、撮影範囲の左右方向の配光性良化及び、実写上問題無いレベルへの暗線発生の抑制が図れる。これにより、夜景モードに適したストロボ光量及び配光が得られる。
【００５２】
なお、本実施形態で用いられる減光板は、遮光性を備えていて、且つストロボ光の色温度への影響が軽微であることが求められ、その色は、例えばグレーや黒が望ましい。また、プラスチックにシリコンが入っていても構わない。
【００５３】
本実施形態では、減光板１６に設けられる開口の形状を楕円にしたが、配光性を向上させるために、例えば図７に示すように、減光板４１に設けられる開口４１ａ及び開口４１ｂであってもよい。また、デザイン性を高めるために、例えば図８に示すように、減光板４６に設けられる星型の開口４６ａ及び４６ｂであってもよい。このように開口を星型にした場合、ユーザに夜景撮影を目的とするモードであることをアピールして間違った使用を防ぐことができる。
【００５４】
また、減光板に形成される開口の個数は２個としたが、３個以上であっても構わない。また、減光板に設けられる開口の形状を含めた減光板の形状は、上下及び左右非対称であっても構わない。
【００５５】
本実施形態では、フイルムはＩＳＯ１６００であったが、ＩＳＯ１６００以上であっても構わない。
【００５６】
本実施形態では、モード選択部材８とストロボ操作部材９を操作して、通常モード及び夜景モードと、ストロボ発光のオン・  オフとを切替えるようにした。しかしながら、ユニット内部の絞り切替え機構，  シャッタ速度切替え機構，  ストロボ機構を適宜設定し、更に、撮影状況に応じて減光板を配置してモード切替えを行ってもよい。
【００５７】
本実施形態では、減光板をユニット本体内部に組み込み、通常モード及び夜景モードの選択に連動して遮光位置と退避位置との間で移動可能としたが、これに限定する必要はなく、例えば減光板をストロボ発光部の前方に着脱自在な部材から構成し、夜景撮影時にストロボ発光部の前面に取り付けるようにしてもよい。
【００５８】
【発明の効果】
以上のように、本発明のレンズ付きフイルムユニットによれば、夜景撮影において適当なレベルにストロボ光を減光し、且つ実用上は通常発光時と同等の配光性を確保することが簡易で低コストな手段で実現できる。また、減光板の穴形状を星型にしてユーザに夜景撮影モードであることをアピールすることで、間違った夜景モードの使用を防ぐことができる。
【図面の簡単な説明】
【図１】本発明を実施したレンズ付きフイルムユニットの外観を示す斜視図である。
【図２】ストロボ発光部の構成を示す分解斜視図である。
【図３】ストロボ発光部と減光板の配置関係を示す説明図である。
【図４】減光板により遮光されるストロボ光を示す説明図である。
【図５】絞り及びシャッタ速度の切り替える機構を示すブロック図である。
【図６】夜景モードで撮影範囲に向けてストロボ光を照射した場合の配光を示す説明図である。
【図７】減光板の形状例を示す説明図である。
【図８】減光板の更に別の形状例を示す説明図である。
【図９】従来の減光板の形状例を示す説明図である。
【図１０】従来の減光板により遮光されるストロボ光を示す説明図である。
【図１１】従来の減光板の更に別の形状例を示す説明図である。
【図１２】従来の減光板により遮光されるストロボ光を示す説明図である。
【図１３】従来の減光板を用いて、撮影範囲に向けてストロボ光を照射した場合の配光を示す説明図である。
【符号の説明】
２  ユニット本体
４  ストロボ装置
８  モード選択部材
９  ストロボ操作部材
１０  ストロボ発光部
１６  減光板
１６ａ，  １６ｂ  開口
１７  ストロボ放電管
１８  リフレクタ
１８ａ  湾曲反射部
１８ｂ  側面反射部
１９  プロテクタ
【図１】
2004151571.tif 000004
【図２】
2004151571.tif 000005
【図３】
2004151571.tif 000006
【図４】
2004151571.tif 000007
【図５】
2004151571.tif 000008
【図６】
2004151571.tif 000009
【図７】
2004151571.tif 000010
【図８】
2004151571.tif 000011
【図９】
2004151571.tif 000012
【図１０】
2004151571.tif 000013
【図１１】
2004151571.tif 000014
【図１２】
2004151571.tif 000015
【図１３】
2004151571.tif 000016